(57)【要約】【課題】動揺装置において、火災や停電等の緊急時の脱出用として、縄はしごを準備しているが、動揺装置が正常位置で停止しなかった場合、この縄はしごが使用できなくなると言う問題があった。【解決手段】縄はしごの代わりに図６に示す非常階段部５１および非常階段はしご部５２を設けて、上方向の着脱可能な金具をはずすことにより、下方向の回転可能な金具を軸にして地上面方向に開く非常階段を有することにより、安全に脱出できるようにした。  【選択図】  図６
2008297882.tif 000002
【特許請求の範囲】
【請求項１】
動揺試験装置において、地上面に脱出するための筒状の非常階段部を備え、非常階段部は複数の平面で構成され、複数の平面は、はしごと、このはしごを固定する枠で構成され、このはしごは、はしごの上方向で、着脱可能な金具で、はしごを固定する枠に固定されて、はしごの下方向で、はしごが回転可能な金具で、はしごを固定する枠に固定され、上方向の着脱可能な金具をはずすことにより、下方向の回転可能な金具を軸にして地上面方向に開く非常階段を有することを特徴とする動揺試験装置。  
【発明の詳細な説明】
【技術分野】
【０００１】
本発明は、動揺試験装置の非常階段に関するものである。
【背景技術】
【０００２】
図１０は従来の動揺試験装置の例で、動揺試験前の図である。同図において１は動揺試験装置、１１は被試験装置、１２は乗降装置、１３は被試験装置の固定台、１４と１５は支柱、１６は動揺装置の床面である。一般的に被試験装置の固定台１３と床面１６は通常２ｍ位ある。
【０００３】
被試験装置１１の例としては飛行機等のコックピット等がある。支柱１４および１５は図１４に示すように根元部２３、２４やピストン部２１、２２で構成され上下に動くようになって、コンピュータ制御により、規定の動揺試験が実施されるようになっている。
【０００４】
試験の前に、階段状の乗降装置１２を使用して被試験装置１１に乗り込むようになっている。図１１は図１０の側面図である
【０００５】
図１２は従来の動揺試験装置の例で、試験開始時直前の図である。乗降装置１２は動揺試験に邪魔になるので、図１２のように動揺試験に邪魔にならない状態に離れるように制御される。
図１３は従来の動揺試験装置の例で、動揺試験中の図である。
【０００６】
図１５は従来の動揺試験装置の例で、火災や停電等があり緊急停止して正常位置で停止せず、斜めになって止まってしまった図である。緊急停止時の脱出用として縄はしご３１が設置されているので、縄はしご３１を下ろして脱出するが、図１５の様に斜めに停止した場合縄はしご３１を使用することが困難になり安全に脱出することが出来なくなる。
【０００７】
【特許文献１】特開２００５−３６５８５号公報
【発明の開示】
【発明が解決しようとする課題】
【０００８】
図１５に示す従来例では、動揺試験装置において、火災や停電等の緊急時の脱出用として、縄はしごを準備しているが、動揺装置が正常位置で停止しなかった場合、この縄はしごの使用が困難になり安全に脱出することが出来なくなる。
【０００９】
本発明は、上述の点に鑑みて為されたものであって、縄はしごの代わりに図１に示す非常階段部５１を設けて安全に脱出するできることを目的とする。
【課題を解決するための手段】
【００１０】
本発明では、上述の目的を達成するために次のように構成している。
【００１１】
すなわち、本発明は、動揺試験装置において、地上面に脱出するための筒状の非常階段部を備え、非常階段部は複数の平面で構成され、複数の平面は、はしごと、このはしごを固定する枠で構成され、このはしごは、はしごの上方向で、着脱可能な金具で、はしごを固定する枠に固定されて、はしごの下方向で、はしごが回転可能な金具で、はしごを固定する枠に固定され、上方向の着脱可能な金具をはずすことにより、下方向の回転可能な金具を軸にして地上面方向に開く非常階段を有することである。
【発明の効果】
【００１２】
本発明によれば、非常停止時において斜めに停止しても安全に脱出できるようになる。
【実施例】
【００１３】
以下、図面によって本発明の実施例について、詳細に説明する。
【００１４】
図１は、本発明の動揺試験装置の実施の形態の一例で、動揺試験前の図である。図１０の従来の動揺試験装置の例に対応する部分には、同一の参照符号を付す。
【００１５】
同図において１は動揺試験装置、１１は被試験装置、１２は乗降装置、１３は被試験装置の固定台、１４と１５は支柱、１６は動揺装置の床面、５１は非常階段部である。      
一般的に、被試験装置の固定台１３と床面１６は通常２ｍ位ある。被試験装置１１の例としては飛行機等のコックピット等がある。支柱１４および１５は図１４に示すように根元部２３、２４やピストン部２１、２２で構成され上下に動くようになって、コンピュータ制御により、規定の動揺試験が実施されるようになっている。
【００１６】
動揺試験開始の前には、階段状の乗降装置１２を使用して被試験装置１１に乗り込むようになっている。図２は動揺試験前の図1の側面図である。
【００１７】
図３は動揺試験開始直前の図である。乗降装置１２は動揺試験に邪魔になるので、図のように動揺試験に邪魔にならない状態に離れるように制御される。図４は動揺試験中の図である。
【００１８】
図５は火災や停電等で緊急停止して正常位置で停止せず、斜めになって止まってしまった図である。緊急停止時の脱出用として非常階段部５１が準備されている。図６は非常階段部を使用するときの図である。非常階段部５１から、非常階段はしご部５２を開いて床面１６に脱出するようになっている。
【００１９】
非常階段部と非常階段はしご部については図７，８，９を使用して説明する。図７に示すように非常階段部５１の全側面には非常階段はしご部５２とこの非常階段はしご部５２を固定する非常階段枠部５３が装備されている。非常階段はしご部５２は図７に示すＡとＢ点で着脱可能な金具で非常階段枠部５３に固定されている。また、非常階段はしご部５２は図７に示すＣとＤ点で非常階段はしご部５２が回転可能な金具で非常階段枠部５３に固定されている。
【００２０】
図７のＡとＢ点の固定具を外すことにより図９に示すように非常階段部５１の非常階段はしご部５２は外に開くようになっており図９に示すように床面１６まで届きこの非常階段はしごを部５２使用して脱出できる。図８は図９を側面から見た図である。
【００２１】
また、図９に示すように、非常階段枠部５３の底面には床板５４が装備されており、非常階段枠部５３の床板５４で一時的に人間が留まることができるようになっている。非常階段枠部５３および非常階段はしご部５２は非常階段部５１の全側面に配置されており、動揺試験装置の停止状況によって、どの面からでも脱出できるようになっている。
【００２２】
本発明は、動揺装置において、火災や停電等の緊急時に、動揺装置が正常位置で停止しなかった場合でも安全に脱出できる非常用階段として利用可能である。
【図面の簡単な説明】
【００２３】
【図１】本発明の動揺試験措置の実施例で動揺試験の前の図である。
【図２】本発明の動揺試験措置の実施例で動揺試験の前の図１の側面図である。
【図３】本発明の動揺試験措置の実施例で動揺試験直前の図である。
【図４】本発明の動揺試験措置の実施例で動揺試験中の図である。
【図５】本発明の動揺試験措置の実施例で動揺試験装置が正常位置で停止しなかった図である。
【図６】本発明の動揺試験措置の実施例で動揺試験が正常位置で停止しなかった時に非常階段を使用する時の図である。
【図７】本発明の動揺試験措置の実施例で非常階段部を説明する図である。
【図８】本発明の動揺試験措置の実施例で非常階段を説明する図である。
【図９】本発明の動揺試験措置の実施例で非常階段部の非常階段はしごを説明する図である。
【図１０】従来の動揺試験措置の実施例で動揺試験の前の図である。
【図１１】従来の動揺試験措置の実施例で動揺試験前の図１０の側面図である。
【図１２】従来の動揺試験措置の実施例で動揺試験の直前の図である。
【図１３】従来の動揺試験措置の実施例で動揺試験中の図である。
【図１４】動揺試験措置の支柱を説明する図である。
【図１５】従来の動揺試験措置の実施例で動揺試験装置が正常位置で停止しなかった図である。
【符号の説明】
【００２４】
１          動揺試験装置
１１        被試験装置
１２        乗降装置
１３        被試験装置の固定台
１４，１５  支柱
１６        動揺装置の床面
２１，２２  ピストン部
２３，２４  根元部
３１        縄はしご    
５１        非常階段部
５２        非常階段はしご部
５３         非常階段枠部
５４         非常階段床板部
【図１】
2008297882.tif 000003
【図２】
2008297882.tif 000004
【図３】
2008297882.tif 000005
【図４】
2008297882.tif 000006
【図５】
2008297882.tif 000007
【図６】
2008297882.tif 000008
【図７】
2008297882.tif 000009
【図８】
2008297882.tif 000010
【図９】
2008297882.tif 000011
【図１０】
2008297882.tif 000012
【図１１】
2008297882.tif 000013
【図１２】
2008297882.tif 000014
【図１３】
2008297882.tif 000015
【図１４】
2008297882.tif 000016
【図１５】
2008297882.tif 000017